(57)【要約】【課題】  デジタル信号領域において振幅可変させる場合のアナログ出力信号の劣化を抑制すること。【解決手段】  第１のＤＡ変換器１は、デジタル入力信号をアナログ信号へ変換する。一方、乗算手段３は、デジタル入力信号に係数を乗算し、第２のＤＡ変換器２は、乗算手段３により係数を乗算した後のデジタル入力信号をアナログ信号へ変換する。そして、出力手段５は、第１のＤＡ変換器１によるアナログ信号および第２のＤＡ変換器２によるアナログ信号の両方の和をアナログ出力信号として出力する。【選択図】  図１
2006352221.tif 000002
【特許請求の範囲】
【請求項１】
デジタル入力信号をアナログ信号へ変換する第１のＤＡ変換器と、
上記デジタル入力信号に係数を乗算する乗算手段と、
上記乗算手段により係数を乗算した後のデジタル入力信号をアナログ信号へ変換する第２のＤＡ変換器と、
上記第１のＤＡ変換器によるアナログ信号および上記第２のＤＡ変換器によるアナログ信号の両方の和または一方と他方との差をアナログ出力信号として出力する出力手段と、
を備えることを特徴とする振幅可変装置。
【請求項２】
前記乗算手段の前記係数の値は可変であることを特徴とする請求項１記載の振幅可変装置。
【請求項３】
前記乗算手段は、前記係数の値を正および負のいずれにも設定可能であることを特徴とする請求項１または請求項２記載の振幅可変装置。
【請求項４】
前記出力手段から出力されるアナログ出力信号の振幅を調整する場合に、前記乗算手段における前記係数の値を変更する制御回路を備えることを特徴とする請求項１から請求項３のうちのいずれか１項記載の振幅可変装置。
【請求項５】
デジタル入力信号をアナログ信号へ変換する第１のＤＡ変換器と、
上記デジタル入力信号に係数を乗算する乗算手段と、
上記乗算手段により係数を乗算した後のデジタル入力信号をアナログ信号へ変換する第２のＤＡ変換器と、
上記第１のＤＡ変換器によるアナログ信号に対して上記第２のＤＡ変換器によるアナログ信号を逆相で合成して、合成後の信号をアナログ出力信号として出力する出力手段と、
を備えることを特徴とする振幅可変装置。
【請求項６】
デジタル入力信号に第１の係数を乗算する第１の乗算手段と、
上記第１の係数を乗算した後のデジタル入力信号をアナログ信号へ変換する第１のＤＡ変換器と、
上記デジタル入力信号に第２の係数を乗算する第２の乗算手段と、
上記第２の係数を乗算した後のデジタル入力信号をアナログ信号へ変換する第２のＤＡ変換器と、
上記第１のＤＡ変換器によるアナログ信号および上記第２のＤＡ変換器によるアナログ信号の両方の和または一方と他方との差をアナログ出力信号として出力する出力手段と、
を備えることを特徴とする振幅可変装置。
【請求項７】
デジタル入力信号に第１の係数を乗算する第１の乗算手段と、
上記第１の係数を乗算した後のデジタル入力信号をアナログ信号へ変換する第１のＤＡ変換器と、
上記デジタル入力信号に第２の係数を乗算する第２の乗算手段と、
上記第２の係数を乗算した後のデジタル入力信号をアナログ信号へ変換する第２のＤＡ変換器と、
上記第１のＤＡ変換器によるアナログ信号に対して上記第２のＤＡ変換器によるアナログ信号を逆相で合成して、合成後の信号をアナログ出力信号として出力する出力手段と、
を備えることを特徴とする振幅可変装置。
【請求項８】
アナログ出力信号の減衰量に応じて、前記第１および／または第２の係数の値を設定する制御回路を備え、
上記制御回路は、ある減衰量について前記第２の係数の絶対値が所定の値以下である場合、前記第２の係数の値をゼロに設定し、前記第１の係数をその減衰量に応じた値に設定すること、
を特徴とする請求項７記載の振幅可変装置。
【請求項９】
前記制御回路は、アナログ出力信号の減衰量が０．５より大きい場合には、前記第１の係数を１とし、前記第２の係数をその減衰量に応じた値とし、アナログ出力信号の減衰量が０．５より小さい場合には、前記第２の係数をゼロとし、前記第１の係数をその減衰量に応じた値とすることを特徴とする請求項７記載の振幅可変装置。
【請求項１０】
デジタル入力信号を第１のアナログ信号へ変換し、
上記デジタル入力信号に係数を乗算し、係数を乗算した後のデジタル入力信号を第２のアナログ信号へ変換し、
上記第１のおよび上記第２のアナログ信号の両方の和または一方と他方との差をアナログ出力信号として出力すること、
を特徴とする振幅可変方法。
【請求項１１】
デジタル入力信号に第１の係数を乗算し、上記第１の係数を乗算した後のデジタル入力信号を第１のアナログ信号へ変換し、
上記デジタル入力信号に第２の係数を乗算し、上記第２の係数を乗算した後のデジタル入力信号を第２のアナログ信号へ変換し、
上記第１および上記第２のアナログ信号の両方の和または一方と他方との差をアナログ出力信号として出力すること、
を特徴とする振幅可変方法。
【発明の詳細な説明】
【技術分野】
【０００１】
本発明は、振幅可変装置および振幅可変方法に関する。
【背景技術】
【０００２】
例えばデジタル信号またはデジタルデータからオーディオ信号を再生する音響再生装置は、一般的に、出力されるオーディオ信号の振幅を調整する機能を有する。そのような機構の一つとして、デジタルボリュームがある。
【０００３】
図７は、デジタルボリュームの一例を示すブロック図である。図７に示すデジタルボリュームでは、係数器１０１が、デジタルデータ（デジタル信号）に対して係数を乗算し、ＤＡ変換器１０２が、乗算後のデジタルデータをＤＡ（Digital-to-Analog ）変換し、変換後のアナログ信号を出力する。これにより、デジタル信号領域でオーディオ信号の振幅（つまりデジタル値）が小さくされ、その結果として、出力されるアナログ信号の振幅も小さくなる（例えば特許文献１参照）。
【０００４】
通常、このようなデジタルボリュームでは、音量が最大である場合、デジタル入力信号はそのままＤＡ変換され、変換後のアナログ信号がそのまま出力される。一方、音量が最大ではない場合（音量を絞る場合）、０以上かつ１以下の値の係数が乗算されたデジタル信号がＤＡ変換され、変換後のアナログ信号がそのまま出力される。つまり、音量が最大である場合、デジタルボリュームでの減衰量がゼロとされ、音量が最大ではない場合、乗算時の係数の値に応じた減衰量だけ、アナログ信号の振幅が最大値に比べ減衰する。
【０００５】
また、このようなデジタルボリュームでは、デジタル信号領域での振幅低下に起因してデジタル信号の分解能が損なわれることを回避するために、デジタル信号の分解能（つまりダイナミックレンジ）に比べ分解能の大きいＤＡ変換器が採用される場合がある。例えば、コンパクトディスクによるデジタル信号の分解能は１６ビット（９６デシベル、６デシベル／ビット）であるため、分解能が２４ビットのＤＡ変換器が使用される。この場合、デジタル信号領域における係数器１０１での信号の減衰量が４８デシベル（つまり８ビット分）以下であれば、デジタル入力信号の分解能を維持したままで、減衰後のデジタル信号をＤＡ変換器１０２へ入力させることができる。
【０００６】
【特許文献１】特開２０００−１３８５８５号公報（図２等）
【発明の開示】
【発明が解決しようとする課題】
【０００７】
しかしながら、デジタル信号の分解能とＤＡ変換器の分解能とを同程度とした場合には、ＤＡ変換器に入力される減衰後のデジタル信号の分解能が低下してしまうため、量子化ノイズが増加し、デジタル信号を減衰させない場合に比べＳ／Ｎ比が低下する。特に、音量の調整範囲が広い装置では、通常再生時には、最大値から減衰させた音量で再生を行うことが多く、通常使用状態での音質の劣化が問題となる。
【０００８】
また、上述したように、ＤＡ変換器の分解能をデジタル信号の分解能より大きくした場合、上記の問題は一定の条件下では解消されるが、減衰量が大きくなったとき（上記の例では４８デシベルを超えたとき）には同様の問題が生じる。
【０００９】
本発明は、デジタル信号領域において振幅可変させる場合に、アナログ出力信号の劣化を抑制することができる振幅可変装置および振幅可変方法を得ることを目的とする。
【課題を解決するための手段】
【００１０】
上記の課題を解決するために、本発明では以下のようにした。
【００１１】
本発明に係る振幅可変装置の１つは、デジタル入力信号をアナログ信号へ変換する第１のＤＡ変換器と、デジタル入力信号に係数を乗算する乗算手段と、乗算手段により係数を乗算した後のデジタル入力信号をアナログ信号へ変換する第２のＤＡ変換器と、第１のＤＡ変換器によるアナログ信号および第２のＤＡ変換器によるアナログ信号の両方の和または一方と他方との差をアナログ出力信号として出力する出力手段とを備える。
【００１２】
また、本発明に係る振幅可変装置は、上記の振幅可変装置に加え、次のようにしてもよい。つまり、その場合、乗算手段の係数の値は可変である。
【００１３】
また、本発明に係る振幅可変装置は、上記の振幅可変装置のいずれかに加え、次のようにしてもよい。つまり、その場合、乗算手段は、係数の値を正および負のいずれにも設定可能である。
【００１４】
また、本発明に係る振幅可変装置は、上記の振幅可変装置のいずれかに加え、次のようにしてもよい。つまり、その場合、この振幅可変装置は、さらに、出力手段から出力されるアナログ出力信号の振幅を調整する場合に、乗算手段における係数の値を変更する制御回路を備える。
【００１５】
本発明に係る振幅可変装置の１つは、デジタル入力信号をアナログ信号へ変換する第１のＤＡ変換器と、デジタル入力信号に係数を乗算する乗算手段と、乗算手段により係数を乗算した後のデジタル入力信号をアナログ信号へ変換する第２のＤＡ変換器と、第１のＤＡ変換器によるアナログ信号に対して第２のＤＡ変換器によるアナログ信号を逆相で合成して、合成後の信号をアナログ出力信号として出力する出力手段とを備える。
【００１６】
本発明に係る振幅可変装置の１つは、デジタル入力信号に第１の係数を乗算する第１の乗算手段と、第１の係数を乗算した後のデジタル入力信号をアナログ信号へ変換する第１のＤＡ変換器と、デジタル入力信号に第２の係数を乗算する第２の乗算手段と、第２の係数を乗算した後のデジタル入力信号をアナログ信号へ変換する第２のＤＡ変換器と、第１のＤＡ変換器によるアナログ信号および第２のＤＡ変換器によるアナログ信号の両方の和または一方と他方との差をアナログ出力信号として出力する出力手段とを備える。
【００１７】
本発明に係る振幅可変装置の１つは、デジタル入力信号に第１の係数を乗算する第１の乗算手段と、第１の係数を乗算した後のデジタル入力信号をアナログ信号へ変換する第１のＤＡ変換器と、デジタル入力信号に第２の係数を乗算する第２の乗算手段と、第２の係数を乗算した後のデジタル入力信号をアナログ信号へ変換する第２のＤＡ変換器と、第１のＤＡ変換器によるアナログ信号に対して第２のＤＡ変換器によるアナログ信号を逆相で合成して、合成後の信号をアナログ出力信号として出力する出力手段とを備える。
【００１８】
また、本発明に係る振幅可変装置は、上記の振幅可変装置のいずれかに加え、次のようにしてもよい。つまり、その場合、この振幅可変装置は、アナログ出力信号の減衰量に応じて、第１および／または第２の係数の値を設定する制御回路を備える。そして、制御回路は、ある減衰量について第２の係数の絶対値が所定の値以下である場合、第２の係数の値をゼロに設定し、第１の係数をその減衰量に応じた値に設定する。
【００１９】
また、本発明に係る振幅可変装置は、上記の振幅可変装置のいずれかに加え、次のようにしてもよい。つまり、その場合、制御回路は、アナログ出力信号の減衰量が０．５より大きい場合には、第１の係数を１とし、第２の係数をその減衰量に応じた値とし、アナログ出力信号の減衰量が０．５より小さい場合には、第２の係数をゼロとし、第１の係数をその減衰量に応じた値とする。
【００２０】
本発明に係る振幅可変方法の１つは、デジタル入力信号を第１のアナログ信号へ変換し、デジタル入力信号に係数を乗算し、係数を乗算した後のデジタル入力信号を第２のアナログ信号へ変換し、第１のおよび第２のアナログ信号の両方の和または一方と他方との差をアナログ出力信号として出力する。
【００２１】
本発明に係る振幅可変方法の１つは、デジタル入力信号に第１の係数を乗算し、第１の係数を乗算した後のデジタル入力信号を第１のアナログ信号へ変換し、デジタル入力信号に第２の係数を乗算し、第２の係数を乗算した後のデジタル入力信号を第２のアナログ信号へ変換し、第１および第２のアナログ信号の両方の和または一方と他方との差をアナログ出力信号として出力する。
【発明の効果】
【００２２】
本発明によれば、デジタル信号領域において振幅可変させる場合に、アナログ出力信号の劣化を抑制することができる振幅可変装置および振幅可変方法を得ることができる。
【発明を実施するための最良の形態】
【００２３】
以下、図に基づいて本発明の実施の形態を説明する。
【００２４】
実施の形態１．
図１は、本発明の実施の形態１に係る振幅可変装置の構成を示すブロック図である。図１において、ＤＡ変換器（ＤＡＣ）１は、デジタル入力信号をアナログ信号へ変換する第１のＤＡ変換器である。また、ＤＡ変換器（ＤＡＣ）２は、係数器３により係数を乗算した後のデジタル入力信号をアナログ信号へ変換する第２のＤＡ変換器である。なお、ＤＡ変換器１，２の分解能は、デジタル入力信号の分解能と同一としてもよいし、デジタル入力信号の分解能より高くしてもよい。
【００２５】
また、係数器３は、ある値の係数をデジタル信号に乗算する回路である。係数器３は、例えば乗算器、および係数のデータを記憶するメモリなどの記憶部を有する。制御回路４は、係数器３における係数の値を設定する回路である。
【００２６】
また、加算器５は、ＤＡ変換器１によるアナログ信号およびＤＡ変換器２によるアナログ信号の両方の和を演算しアナログ出力信号として出力する出力手段として機能する回路である。
【００２７】
次に、上記装置の動作について説明する。
【００２８】
まず、デジタルオーディオ再生装置などからの同一のデジタル入力信号が、ＤＡ変換器１および係数器３に供給される。
【００２９】
ＤＡ変換器１は、そのデジタル入力信号をアナログ信号に変換し、加算器５に供給する。
【００３０】
一方、係数器３は、制御回路４により設定された値の係数を、そのデジタル入力信号に乗算し、乗算後のデジタル入力信号をＤＡ変換器２に供給する。ＤＡ変換器２は、その乗算後のデジタル入力信号をアナログ信号に変換し、加算器５に供給する。
【００３１】
そして、加算器５は、ＤＡ変換器１からのアナログ信号とＤＡ変換器２からのアナログ信号の和を演算しアナログ出力信号として出力する。
【００３２】
また、制御回路４は、係数器３に、係数値のデジタルデータを記憶させる。制御回路４は、アナログ出力信号を減衰させる場合、例えば図示せぬボリューム操作部に対する操作の操作量に応じて係数を、−１より大きくかつ０より小さい負の値に設定する。ＤＡ変換器１，２からそれぞれ加算器５へ入力されるアナログ信号は互いに逆相になり、ＤＡ変換器２からのアナログ信号の振幅はＤＡ変換器１からのアナログ信号の振幅より小さくなるため、加算器５からのアナログ出力信号は減衰する。このとき、係数の値が−１に近いほど、アナログ出力信号の減衰量は大きくなる。係数器３の係数をαとすると、アナログ出力信号の減衰量は式（１），（２）で表される。したがって、制御回路４は、式（１），（２）に基づき、減衰量に応じた係数値を係数器３の係数に設定する。
【００３３】
α＝（アナログ出力信号の減衰量）−１  ・・・（１）
【００３４】
減衰量［デシベル］＝２０×ｌｏｇ１０（１＋α）  ・・・（２）
【００３５】
また、図２は、実施の形態１におけるアナログ出力信号の減衰量と係数器３の係数値との対応関係を示す図である。なお、係数器３の係数値を正とした場合には、減衰量が負になり、アナログ出力信号は増幅される。
【００３６】
図３は、実施の形態１において減衰量が６デシベルの場合のアナログ出力信号を示す図である。図４は、実施の形態１において減衰量が２４デシベルの場合のアナログ出力信号を示す図である。図５は、実施の形態１において減衰量が１デシベルの場合のアナログ出力信号を示す図である。なお、図３、図４および図５においては、ＤＡ変換器１からのアナログ信号を正相出力信号とし、ＤＡ変換器２からのアナログ信号を逆相出力信号とし、加算器５からのアナログ出力信号を出力信号とし、正相出力信号の振幅を１としている。
【００３７】
図３の場合には、係数器３の係数値は−０．４９８８１に設定され、図４の場合には、係数器３の係数値は−０．０９３６９に設定され、図５の場合には、係数器３の係数値は−０．１０８７５に設定される。
【００３８】
なお、制御回路４は、係数器３の係数値を連続的または段階的に時間経過とともに変化させることで、アナログ出力信号をフェードインまたはフェードアウトさせるようにしてもよい。
【００３９】
また、デジタル信号領域の信号処理系のダイナミックレンジの上限は、デジタル信号のダイナミックレンジの上限に合わせられ、ヘッドルームマージンが設けられないことが一般的である。このため、通常、デジタル信号領域でのデジタル信号は増幅されない。したがって、このような条件下において、デジタルシグナルプロセッサ（ＤＳＰ）などによりデジタル信号に各種信号処理を施す場合、ＤＳＰなどでの信号処理時のオーバーフローを防ぐために、デジタル信号を所定のヘッドルームマージン分だけ減衰させてから信号処理が施される。しかしながら、従来のデジタルボリュームは増幅機能を有さないため、この減衰による減衰量が補償されず、このＤＳＰなどによる信号処理をオン／オフした場合、出力信号の振幅が不連続になってしまう。つまり、ＤＳＰなどによる信号処理をオン／オフした場合に音量差が生じてしまう。このような状況において、実施の形態１に係る振幅可変装置では、そのような信号処理のオン／オフ状態に応じて、制御回路４が、信号処理のオン状態のときには係数を正値に（つまり減衰量を負に）設定して音量差を補償するようにしてもよい。例えば、係数値が０．９９５２６２に設定されると、アナログ出力信号は６デシベル増幅される。
【００４０】
以上のように、上記実施の形態１によれば、第１のＤＡ変換器としてのＤＡ変換器１は、デジタル入力信号をアナログ信号へ変換する。一方、乗算手段としての係数器３は、デジタル入力信号に係数を乗算し、第２のＤＡ変換器としてのＤＡ変換器２は、係数器３により係数を乗算した後のデジタル入力信号をアナログ信号へ変換する。そして、出力手段としての加算器５は、ＤＡ変換器１によるアナログ信号およびＤＡ変換器２によるアナログ信号の両方の和をアナログ出力信号として出力する。すなわち、アナログ出力信号を減衰させる場合には、加算器５は、ＤＡ変換器１によるアナログ信号に対してＤＡ変換器２によるアナログ信号を逆相で合成して、合成後の信号をアナログ出力信号として出力する。
【００４１】
これにより、図４に示すようにアナログ出力信号の減衰量が大きい場合には、２つのＤＡ変換器１，２に入力される信号の振幅はデジタル入力信号の振幅と同程度の大きさを維持しているため、ＤＡ変換器１，２への入力信号の分解能がＤＡ変換時に維持される。一方、図５に示すように減衰量が小さい場合には、ＤＡ変換器２への入力信号の分解能が低下するが、ＤＡ変換器２からの出力信号の振幅は小さいため、加算器５からのアナログ出力信号への影響は少なくて済む。したがって、この実施の形態１によれば、デジタル信号領域において振幅可変させる場合に、アナログ出力信号の劣化を抑制することができる。
【００４２】
また、上記実施の形態１によれば、係数器３は、係数の値を正および負のいずれにも設定可能である。これにより、同一の回路構成で係数の正負を変えるだけで、アナログ出力信号の減衰の他にも、アナログ出力信号を増幅させることもできる。
【００４３】
実施の形態２．
本発明の実施の形態２に係る振幅可変装置は、実施の形態１に係る振幅可変装置において正相信号にも係数を乗ずるようにしたものである。
【００４４】
図６は、本発明の実施の形態２に係る振幅可変装置の構成を示すブロック図である。図６において、係数器１１は、ある値の係数をデジタル信号に乗算する回路である。係数器１１は、例えば乗算器、および係数のデータを記憶するメモリなどの記憶部を有する。制御回路１２は、係数器３および係数器１１における係数の値を設定する回路である。
【００４５】
なお、図６におけるその他の構成要素については、実施の形態１のものと同様であるので、その説明を省略する。
【００４６】
次に、上記装置の動作について説明する。
【００４７】
まず、デジタルオーディオ再生装置などからの同一のデジタル入力信号が、係数器１１および係数器３に供給される。
【００４８】
係数器１１は、制御回路１２により設定された値の係数を、そのデジタル入力信号に乗算し、乗算後のデジタル入力信号をＤＡ変換器１に供給する。ＤＡ変換器１は、その乗算後のデジタル入力信号をアナログ信号に変換し、加算器５に供給する。
【００４９】
一方、係数器３は、制御回路１２により設定された値の係数を、そのデジタル入力信号に乗算し、乗算後のデジタル入力信号をＤＡ変換器２に供給する。ＤＡ変換器２は、その乗算後のデジタル入力信号をアナログ信号に変換し、加算器５に供給する。
【００５０】
そして、加算器５は、ＤＡ変換器１からのアナログ信号とＤＡ変換器２からのアナログ信号の和を演算しアナログ出力信号として出力する。
【００５１】
また、制御回路１２は、係数器３および係数器１１に、係数の値を設定する。制御回路１２は、アナログ出力信号を減衰させる場合、例えば図示せぬボリューム操作部に対する操作の操作量に応じて、係数器１１の係数を１とし、係数器３の係数を−１より大きくかつ０より小さい負の値に設定するか、あるいは、係数器３の係数を０とし、係数器１１の係数を、０より大きくかつ１より小さい負の値に設定する。このとき、係数器３の係数値が−１に近いほど、また、係数器１１の係数値が０に近いほど、アナログ出力信号の減衰量は大きくなる。係数器３の係数をαとし係数器１１の係数をβとすると、アナログ出力信号の減衰量は式（３），（４）で表される。したがって、制御回路１２は、式（３），（４）に基づき、減衰量に応じた係数値を係数器３，１１の係数に設定する。
【００５２】
α＝（アナログ出力信号の減衰量）−β  ・・・（３）
【００５３】
減衰量［デシベル］＝２０×ｌｏｇ１０（α＋β）  ・・・（４）
【００５４】
なお、この実施の形態２では、制御回路１２は、アナログ出力信号の減衰量が０．５より大きい場合には、係数βを１とし、係数αをその減衰量に応じた値とし、アナログ出力信号の減衰量が０．５より小さい場合には、係数αをゼロとし、係数βをその減衰量に応じた値とする。例えば、アナログ出力信号の減衰量が１デシベルである場合には、係数βを０．８９１２５１とし、係数αを０とする。
【００５５】
以上のように、上記実施の形態２によれば、第１の乗算手段としての係数器１１はデジタル入力信号に第１の係数βを乗算し、第１のＤＡ変換器としてのＤＡ変換器１は第１の係数βを乗算した後のデジタル入力信号をアナログ信号へ変換する。一方、第２の乗算手段としての係数器３はデジタル入力信号に第２の係数αを乗算し、第２のＤＡ変換器としてのＤＡ変換器２は第２の係数αを乗算した後のデジタル入力信号をアナログ信号へ変換する。そして、出力手段としての加算器５は、ＤＡ変換器１によるアナログ信号およびＤＡ変換器２によるアナログ信号の両方の和をアナログ出力信号として出力する。すなわち、アナログ出力信号を減衰させる場合には、加算器５は、ＤＡ変換器１によるアナログ信号に対してＤＡ変換器２によるアナログ信号を逆相で合成して、合成後の信号をアナログ出力信号として出力している。
【００５６】
これにより、デジタル信号領域において振幅可変させる場合のアナログ出力信号の劣化を抑制することができる。
【００５７】
また、上記実施の形態２によれば、制御回路１２は、アナログ出力信号の減衰量に応じて、第１の係数βおよび／または第２の係数αの値を設定する。そして、制御回路１２は、ある減衰量について第２の係数αの絶対値が所定の値以下である場合、第２の係数αの値をゼロに設定し、第１の係数βをその減衰量に応じた値に設定する。特に、制御回路１２は、アナログ出力信号の減衰量が０．５より大きい場合には、第１の係数βを１とし、第２の係数αをその減衰量に応じた値とし、アナログ出力信号の減衰量が０．５より小さい場合には、第２の係数αをゼロとし、第１の係数βをその減衰量に応じた値とする。なお、減衰量が１デシベル単位である場合には、減衰量が７デシベル以上のときに、第１の係数βを１とし、第２の係数αをその減衰量に応じた値とし、減衰量が６デシベル以下のときに、第２の係数αをゼロとし、第１の係数βをその減衰量に応じた値とする。
【００５８】
これにより、アナログ出力信号の減衰量の大小に拘わらず、ＤＡ変換器１，２への入力信号の分解能を良好に維持でき、デジタル信号領域において振幅可変させる場合のアナログ出力信号の劣化を抑制することができる。
【００５９】
なお、上述の各実施の形態は、本発明の好適な例であるが、本発明は、これらに限定されるものではなく、本発明の要旨を逸脱しない範囲において、種々の変形、変更が可能である。
【００６０】
例えば、上記実施の形態１，２のそれぞれにおいて、係数器３の係数を０より大きくかつ１より小さい値とし、加算器５の替わりに、ＤＡ変換器１の出力信号からＤＡ変換器２の出力信号を減算する減算器を使用するようにしてもよい。このようにしても、ＤＡ変換器１からの出力信号に対してＤＡ変換器２からの出力信号が逆相に合成される。
【００６１】
また、上記実施の形態１，２のそれぞれにおいて、係数器３，１１の係数値を固定とするようにしてもよい。その場合には、制御回路４，１２は特に必要ない。
【産業上の利用可能性】
【００６２】
本発明は、例えば、デジタルオーディオ装置のボリュームに適用可能である。
【図面の簡単な説明】
【００６３】
【図１】本発明の実施の形態１に係る振幅可変装置の構成を示すブロック図である。
【図２】実施の形態１におけるアナログ出力信号の減衰量と係数器の係数値との対応関係を示す図である。
【図３】実施の形態１において減衰量が６デシベルの場合のアナログ出力信号を示す図である。
【図４】実施の形態１において減衰量が２４デシベルの場合のアナログ出力信号を示す図である。
【図５】実施の形態１において減衰量が１デシベルの場合のアナログ出力信号を示す図である。
【図６】本発明の実施の形態２に係る振幅可変装置の構成を示すブロック図である。
【図７】デジタルボリュームの一例を示すブロック図である。
【符号の説明】
【００６４】
１  ＤＡ変換器（第１のＤＡ変換器）
２  ＤＡ変換器（第２のＤＡ変換器）
３  係数器（乗算手段，第２の乗算手段）
４，１２  制御回路
５  加算器（出力手段）
１１  係数器（第１の乗算手段）
【図１】
2006352221.tif 000003
【図２】
2006352221.tif 000004
【図３】
2006352221.tif 000005
【図４】
2006352221.tif 000006
【図５】
2006352221.tif 000007
【図６】
2006352221.tif 000008
【図７】
2006352221.tif 000009